(57)【要約】【課題】簡単にしかも耐久性に優れたものとして製造することができ、使用感も非常によく、しかも見栄えも良好なものとすることのできる五本指のくつ下を、簡単な構造によって提供すること。【解決手段】各足指を分けて入れられる指収納部１１〜１１を有して、基糸１２によって連続編みされるくつ下１０であって、少なくとも各指収納部１１を、基糸１２と、これと同時に編み込まれる機能糸１３とにより構成して、この機能糸１３による機能を各指収納部１１に付加するようにしたこと。【選択図】図１
2006265774.tif 000002
【特許請求の範囲】
【請求項１】
各足指を分けて入れられる指収納部を有して、基糸によって連続編みされるくつ下であって、
少なくとも前記各指収納部を、前記基糸と、これと同時に編み込まれる機能糸とにより構成して、この機能糸による機能を前記各指収納部に付加したことを特徴とする指収納部を有したくつ下。
【発明の詳細な説明】
【技術分野】
【０００１】
本発明は、くつ下に関し、特に、足指を個々に収納できる指収納部を有したくつ下に関するものである。
【背景技術】
【０００２】
足指を個々に収納できる指収納部を有したくつ下、通称「五本指靴下」は、従来より種々なものが提案されており、使用もされてきている。この「五本指靴下」は、足指を個々に収納できる指収納部で足指からの汗を吸収し、且つ各足指が分離されることによって、使用時の爽快感を増すとともに、例えば「水むし」等の皮膚病に対する予防もできるからである。
【０００３】
このような「五本指靴下」は、上記のような有効な機能を持っているのではあるが、その使用時につま先が５本に分かれているため、図１や図４に示すように、そのままでは見栄えがちょっと悪くなるものである。このため、特許文献１〜特許文献３にて提案されているように、種々な工夫が凝らされるようになってきている。
【特許文献１】特開平０９−３１６７０６号公報、要約、代表図、段落０００６
【特許文献２】特開２００２−２２７００３号公報、要約、代表図
【特許文献３】特開２００４−２０４３７３号公報、要約、代表図
【発明の開示】
【発明が解決しようとする課題】
【０００４】
特許文献１の「袋状をした指挿入部を備えた靴下、及びその編成方法」は、装着時において各指部の接触が避けられ、しかも爪先部の外観は、通常の靴下と全く同一となる靴下、及びその編成方法の提供」することを課題として、図３に示すように、「靴下本体部１の先端の袋状をした本体爪先部３の内側に、同じく袋状をした内側爪先部４を編み込んで、靴下本体部１の先端の爪先部２のみを二重構造にして、該内側爪先部４のみに、先端の閉塞部４ａから開口側に向けて人体の足の指部の長さに対応した長さだけ編み込んで、指挿入部７を形成する」という構成を有したものである。
【０００５】
この特許文献１に記載されているくつ下は、「本体部１の先端の爪先部２のみを二重構造」とするものであるから、その製造が非常に困難であると考えられる。何故なら、この特許文献１の段落０００６には、「人体の足の各指部を挿入するための独立した袋状の各指挿入部を備えた靴下において、靴下本体部の先端の袋状をした本体爪先部の内側に、同じく袋状をした内側爪先部を編み込んで、靴下本体部の先端の爪先部のみを二重構造にして、該内側爪先部のみを、先端の閉塞部から開口側に向けて前記指部の長さに対応した長さだけ編み込んで、前記指挿入部を形成」すると記載されており、「靴下本体部の先端の袋状をした本体爪先部の内側に、同じく袋状をした内側爪先部を編み込んで、靴下本体部の先端の爪先部のみを二重構造」にしなければならないからである。
【０００６】
特許文献２には、「丸網機による爪先の未編成な靴下半製品の開口部に足袋様の５本指を形成するには、横編み式手袋をベースとして、その指先部を靴下半製品の開口部へミシンで縫着しなければらず、縫製工程を要すると共に縫着個所にシームが生成し着用時に違和感があり履き心地が悪く又、靴下の雰囲気で足袋様の５本指部を備えた商品はない」ことを解決した「靴下」が開示されている。
【０００７】
この特許文献２の「靴下」は、図４及び図５に示すように、「丸網機を用い、爪先を除く履口、踵及び身部を編成して得られる筒状の靴下半製品の爪先側開口部における第１指から第５指までの各指編成部位を、横編機に付設されているポイント針へリンキングし、横編機で各指ごとの編目の増減で所望形状の指部を編成すると共に編糸の終端を引抜き絞つて結止」するという構成を有したものである。なお、「指部を編成する編糸を、抗菌処理や防臭処理をした素材で、又は保温性を有する素材で用」いるという構成も有するものである。
【０００８】
しかしながら、この特許文献２の「靴下」では、所謂「五本指靴下」の一般的な製造あるいは構造が示されているだけで、例えば見栄えの悪さを解消したり、製造を簡単にしたりといった工夫はなされていないものである。
【０００９】
特に、この特許文献２の発明では、図５、及び当該文献２の段落０００６に記載されているように、
・丸網機１で履口２ａ、踵２ｂ及び身部２ｃを編成し、爪先が未編成の開口部２ｄのままである筒状の靴下半製品２を編成する。（第１工程）尚、身部２ｃは種々の所望の編組織で編成し、又、種々の所望の柄出し２ｅをしている。
【００１０】
・靴下半製品２の開口部２ｄの編目端から略１０コース手前の編目で、足袋様の５本指のうち第１指を編成する部位の編目Ｗ１と、第２指を編成する部位の編目Ｗ２と、第３指を編成する部位の編目Ｗ３と、第４指を編成する部位の編目Ｗ４及び第５指を編成する部位の編目Ｗ５をそれぞれ横編機３に付設されているポイント針４にリンキングする。（第２工程）
・横編機３でコースとウェールの編目の増減により所望の長さ、太さ及び形状を呈する第１指５ａを編成し、編糸Ｙの糸端を引抜いて絞り結止６する。（第３工程）
・第２指５ｂ、第３指５ｃ、第４指５ｄ及び第５指５ｅを、前記の第３工程を順次に繰り返し指部５を形成すると、本発明に係る靴下完成品７の編成工程が終了する。
【００１１】
・第１指乃至第５指の指部５に用いる編糸Ｙの素材を選択するのであり、例えば銅イオン入りの水虫防除の抗菌処理を施した素材、又は防臭処理を施した素材、又は遠赤外線等の保温素材を用いる。
ものであるから、非常に煩雑な製造の仕方をしているものであり、見栄えの悪さを解消したり、製造を簡単にしたりといった工夫はなされていないだけでなく、製品のコストアップの原因になっていると考えられる。
【００１２】
そして、特許文献３には、「着用時の快適性に優れ、外観的に奇異に感じさせない靴下を提供する」ことを目的として、図６及び図７に示すように、「足先部分２を内布４と外布５とからなる二重構造にする。内布４には着用時に足の各指がそれぞれ個別に差し入れられる複数の指入れ部４ａ，４ｂ，４ｃ，４ｄ，４ｅを形成する。また、外布５は内布４全体を覆う袋状に形成する」といった構成を有したものである。
【００１３】
しかしながら、この特許文献３の靴下も、特に図７に示したように、つま先部分が特許文献１のそれと同様に、「二重構造」になっているため、製造が困難であるだけでなく、使用時に内側の「内布４」の内端が「段」を構成しているから、この「段」が素足に違和感を与え、またこの「内布４」が「外布５」から分離する可能性があって、耐久性に劣るものとなっていると考えられる。
【００１４】
そこで、本発明者等は、五本指くつ下を、簡単にしかも耐久性に優れたものとして製造することができ、使用感も非常によいものとするにはどうしたらよいか、について種々検討を重ねてきた結果、本発明を完成したのである。
【００１５】
すなわち、本発明の目的とするところは、簡単にしかも耐久性に優れたものとして製造することができ、使用感も非常によく、しかも見栄えも良好なものとすることのできる五本指のくつ下を、簡単な構造によって提供することにある。
【課題を解決するための手段】
【００１６】
以上の課題を解決するために、まず、本発明の採った手段は、後述する最良の形態の説明中において使用する符号を付して説明すると、
「各足指を分けて入れられる指収納部１１〜１１を有して、基糸１２によって連続編みされるくつ下１０であって、
少なくとも各指収納部１１を、基糸１２と、これと同時に編み込まれる機能糸１３とにより構成して、この機能糸１３による機能を各指収納部１１に付加したことを特徴とする指収納部１１を有したくつ下１０」
である。
【００１７】
すなわち、本発明に係るくつ下１０は、図１に示すように、使用者の足指がそれぞれ入ることになる指収納部１１を有するものであり、全体を通して基糸１２によって連続編みされるものである。つまり、例えばナイロン（登録商標）からなる基糸１２が、当該くつ下１０の全体を通した材料糸となっているのである。
【００１８】
また、このくつ下１０では、少なくとも各指収納部１１が、基糸１２と、これと同時に編み込まれる、例えば綿糸や絹糸等の機能糸１３とにより構成してある。すなわち、各指収納部１１は、機能糸１３が存在している分だけ色や風合いが、これが存在しない本体部１４と比較して変化しているものであるが、その本体部１４との連続部分においては、図３に示すように、明確に判別できる「段」は存在していないものとなっているのである。
【００１９】
このため、このくつ下１０では、各指収納部１１の内部にも「段」が存在しないのであるから、当該くつ下１０を穿くときには、足の指やその先に何らの違和感をも与えないのであり、滑らかに穿くことができるのである。また、このくつ下１０を穿いて靴を穿き、その状態で歩行する際にも、当該くつ下１０の内面にも外面にも「段」がないのであるから、図７に示したような従来のもののような違和感や痛みを生ずることはない。
【００２０】
さらに、各指収納部１１を基糸１２と機能糸１３とによって編成し、他の部分を基糸１２のみによって編成したから、基糸１２と各指収納部１１との境界に厚みの変化は殆どない。このため、上述したように使用時の違和感がないことは勿論、意匠的にも「穿きにくそう」といった感想を与えないものとなっているだけでなく、包装する際の袋詰め作業も滑らかに行えるものとなっている。
【００２１】
そして、このくつ下１０の各指収納部１１においては、これを編み込んでいる基糸１２による機能は当然のこととして、機能糸１３による機能が付加されているのである。例えば、基糸１２としてナイロン（登録商標）を適用し、機能糸１３として綿糸を適用した場合には、これらの指収納部１１は、ナイロン（登録商標）による耐久性及び快適性と、綿糸による吸汗性とを併せ持つことになる。勿論、本体部１４については、ナイロン（登録商標）による耐久性と快適性が確保されていることは言うまでもない。また、機能糸１３として絹糸を適用した場合には、これによる快適性が各指収納部１１において発揮されることになる。
【００２２】
そして、このくつ下１０において重要なことは、各指収納部１１は足指を収納する部分であるため、靴を履いたときに、靴から全く出ないで外からは見えないことである。このことは、各指収納部１１が靴から露出して見た目に違和感を与えることがないことを意味し、しかも機能糸１３は各指収納部１１においてのみ存在しているために、この機能糸１３による色変わり部分、あるいは変化部分は靴からは全く出ないということを意味するのである。つまり、各指収納部１１が靴内に隠れてしまう部分であるため、各指収納部１１を基糸１２と機能糸１３とによって構成したものであっても、外目に違和感を与えることはないのである。
【発明の効果】
【００２３】
以上の通り、本発明においては、
「各足指を分けて入れられる指収納部１１〜１１を有して、基糸１２によって連続編みされるくつ下１０であって、
少なくとも各指収納部１１を、基糸１２と、これと同時に編み込まれる機能糸１３とにより構成して、この機能糸１３による機能を各指収納部１１に付加したこと」
にその構成上の特徴があり、これにより、簡単にしかも耐久性に優れたものとして製造することができ、使用感も非常によく、しかも見栄えも良好なものとすることのできる五本指のくつ下１０を、簡単な構造によって提供することができるのである。
【発明を実施するための最良の形態】
【００２４】
次に、以上のように構成した本発明を、図面に示した最良の形態であるくつ下１０について説明すると、図１には、この最良形態に係るくつ下１０の平面図が示してある。
【００２５】
このくつ下１０は、通常の横編機を用いて、履口１６、踵部及び本体部１４を有した筒状の靴下半製品を編成して、その爪先側開口部に、第１指から第５指までの各指収納部１１を編成して完成したものである。これらの第１指から第５指までの各指収納部１１を編成するにあたっては、当該横編機に付設されて休ませていた第２ポイント針を、履口１６及び本体部１４を編むための基糸１２を送り込んでいた第１ポイント針と同時に作動させるようにして編成すると共に、各編糸の終端を引抜き絞つて結止するのである。
【００２６】
本最良形態では、基糸１２としてナイロン（登録商標）を採用し、機能糸１３として「絹糸」を採用したものであり、各指収納部１１中の機能糸１３の割合は４０％であった。絹糸である機能糸１３によって、各指収納部１１内に足の指が挿入されたときの肌触りを良好にし、各指収納部１１の耐久性をも向上させるものである。勿論、機能糸１３として「綿糸」を採用すれば、足指から出る汗の吸収を良好にし、歩行中に当該指収納部１１と指との滑りを少なくして踏ん張りを向上させる。
【００２７】
また、本最良形態では、図１に示したように、履口１６の少し内側に収縮部１５を形成したものである。この収縮部１５は、各指収納部１１の場合と同様に、基糸１２と機能糸１３とによって編成したものであり、この場合、機能糸１３として「ゴム糸」を採用した。この収縮部１５は、ゴム糸の存在によって収縮性に富む部分となっており、当該くつ下１０の使用中における「ズレ落ち」を防止するものである。
【産業上の利用可能性】
【００２８】
以上のように構成したくつ下１０は、所謂「五本指靴下」の需要を高めることができると考えられ、それまでそれ程多く販売されていなかった「五本指靴下」の生産向上を図ることができ、またこれを編成するための横編機の需要も高めることができるものと考えられる。
【図面の簡単な説明】
【００２９】
【図１】本発明に係るくつ下の平面図である。
【図２】同くつ下の指収納部を中心にした使用中の様子を示す部分縦断面図である。
【図３】従来技術を示す部分横断面図である。
【図４】他の従来技術を示す平面図である。
【図５】図４に示した従来例を編成する作業を説明する概略図である。
【図６】さらに他の従来技術を示す斜視図である。
【図７】図６に示した靴下を履いた状態を示す部分拡大縦断面図である。
【符号の説明】
【００３０】
１０    くつ下
１１    指収納部
１２    基糸
１３    機能糸
１４    本体部
１５    収縮部
１６    履口
【図１】
2006265774.tif 000003
【図２】
2006265774.tif 000004
【図３】
2006265774.tif 000005
【図４】
2006265774.tif 000006
【図５】
2006265774.tif 000007
【図６】
2006265774.tif 000008
【図７】
2006265774.tif 000009